(57)【要約】【課題】  使用直前に容器本体内においてデザート用ソースとスポンジ菓子を容易に混合することができる包装体を提供する。【解決手段】  フランジ部１２を有する容器本体１１に蓋体２５が被せられ、容器本体１１と蓋体２５との間にシート体２０が介在されている。容器本体１１内にデザート用ソース３１が収納され、蓋体２５の収納部２６内にスポンジ菓子３２が収納されている。シート体２０はフランジ部１２にヒートシールされる第１面２１と、スポンジ菓子３２を支持する第２面２２とからなっている。第２面２２の他端２２ｂを引張ると、第１面２１がフランジ部１２から剥離され、収納部２６内のスポンジ菓子３２が容器本体１１内に落下して、デザート用ソース３１とスポンジ菓子３２が混じり合う。【選択図】  図１
2005067740.tif 000002
【特許請求の範囲】
【請求項１】
上端が開口するとともに、この開口周縁に設けられたフランジ部を有する容器本体と、
この容器本体を上方から覆うとともに、収納部が形成された蓋体と、
前記フランジ部にシールされ容器本体の上端開口を密閉する第１面と、この第１面に一端が連結され他端がフランジ部から外方へ突出する第２面とを有するシート体と、
前記蓋体の収納部内に収納され、シート体の第２面により支持されたデザート食品の固体部分と、を備え、
前記第２面の他端を引張ることにより、第２面が第１面上を滑って第１面をシールされたフランジ部から剥離し、蓋体の収納部内に収納され第２面によって移動する固体部分を収納部によって位置決め保持した後、容器本体内へ落下させたことを特徴とする包装体。
【請求項２】
上端が開口するとともに、この開口周縁に設けられたフランジ部を有する容器本体と、
この容器本体を上方から覆うとともに、収納部が形成された蓋体と、
前記フランジ部にヒートシールされ容器本体の上端開口を密閉する第１面と、この第１面に一端が連結され他端がフランジ部から外方へ突出する第２面とを有するシート体と、
前記容器本体に収納されたデザート食品の液体部分と、
前記蓋体の収納部内に収納され、シート体の第２面により支持されたデザート食品の固体部分と、を備え、
前記第２面の他端を引張ることにより、第２面が第１面上を滑って第１面をヒートシールされたフランジ部から剥離し、蓋体の収納部内に収納され第２面によって移動する固体部分を収納部によって位置決め保持した後、液体部分が収納された容器本体内へ落下させたことを特徴とする包装体。
【請求項３】
蓋体はフランジ部の外周に嵌め込まれる周縁突部を有し、
第１面をフランジ部外周より大きく形成し、第１面の周縁をフランジ部と周縁突部との間で狭持し、第１面がフランジ部から剥離する際、第１面の周縁によってフランジ部と周縁突部との間の嵌合を解除することを特徴とする請求項１または２のいずれか記載の包装体。
【請求項４】
容器底面のうち収納部下方に固形部分が載置される載置台を上方へ突出して設けたことを特徴とする請求項１乃至３のいずれか１つに記載の包装体。
【発明の詳細な説明】
【技術分野】
【０００１】
本発明はデザート食品を収納した包装体に関する。
【背景技術】
【０００２】
従来から、例えばスポンジ菓子等のデザート食品を収納するための包装容器が知られている。このような包装容器は容器本体と、容器本体を覆う蓋体とからなり、容器本体内にデザート食品が収納される。
【０００３】
使用に際しては、容器本体から蓋体が取外され、包装容器内または外部に設けられたソース入袋を開封して袋内のソース（デザート食品の液体部分）を容器本体内のデザート食品の固体部分に注いでいる。その後、使用者はソースが注がれたデザート食品の固体部分を食べることになる。
【発明の開示】
【発明が解決しようとする課題】
【０００４】
上述のように、従来、包装容器の容器本体内にデザート食品が収納され、包装容器内または外部に設けられたソース入袋を開封して袋内のソースをデザート食品の固体部分に注いでいる。しかしながら、ソース入袋をいちいち開封して内部のソースをデザート食品に注ぐことは煩雑である。
【０００５】
このような場合、包装容器内のデザート食品の固体部分に予めソースを注いでおくことも考えられるが、デザート食品によっては食べる直前にソースを注ぐことが必要な場合もある。
【０００６】
本発明はこのような点を考慮してなされたものであり、使用直前にデザート食品の固体部分と液体部分を容易かつ簡単に混合することができる包装体を提供することを目的とする。
【課題を解決するための手段】
【０００７】
本発明は、上端が開口するとともに、この開口周縁に設けられたフランジ部を有する容器本体と、この容器本体を上方から覆うとともに、収納部が形成された蓋体と、前記フランジ部にシールされ容器本体の上端開口を密閉する第１面と、この第１面に一端が連結され他端がフランジ部から外方へ突出する第２面とを有するシート体と、前記蓋体の収納部内に収納され、シート体の第２面により支持されたデザート食品の固体部分と、を備え、前記第２面の他端を引張ることにより、第２面が第１面上を滑って第１面をシールされたフランジ部から剥離し、蓋体の収納部内に収納され第２面によって移動する固体部分を収納部によって位置決め保持した後、容器本体内へ落下させたことを特徴とする包装体である。
【０００８】
本発明は、上端が開口するとともに、この開口周縁に設けられたフランジ部を有する容器本体と、この容器本体を上方から覆うとともに、収納部が形成された蓋体と、前記フランジ部にヒートシールされ容器本体の上端開口を密閉する第１面と、この第１面に一端が連結され他端がフランジ部から外方へ突出する第２面とを有するシート体と、前記容器本体に収納されたデザート食品の液体部分と、前記蓋体の収納部内に収納され、シート体の第２面により支持されたデザート食品の固体部分と、を備え、前記第２面の他端を引張ることにより、第２面が第１面上を滑って第１面をヒートシールされたフランジ部から剥離し、蓋体の収納部内に収納され第２面によって移動する固体部分を収納部によって位置決め保持した後、液体部分が収納された容器本体内へ落下させたことを特徴とする包装体である。
【０００９】
本発明によれば、シート体の第２面の他端を引張ることにより、第２面が第１面上を滑り、第２面に連結された第１面がフランジ部から剥離される。この間、蓋体の収納部内に収納されたデザート食品の固体部分は第２面上において収納部により保持される。第１面がフランジ部から剥離されると、収納部内のデザート食品の固体部分はデザート食品の液体部分が収納された容器本体内に落下する。
【発明の効果】
【００１０】
以上のように本発明によれば、シート体の第２面他端を引張るだけで、シート体の第１面を容器本体のフランジ部から剥離させて、収納部内のデザート食品の固体部分をデザート食品の液体部分が収納された容器本体内へ落下させることができる。このため容器本体内において、デザート食品の固体部分と液体部分を容易に混ぜ合せることができる。
【発明を実施するための最良の形態】
【００１１】
以下、図面を参照して本発明の実施の形態について説明する。図１乃至図４は、本発明による包装体の実施の形態を示す図である。
【００１２】
図１および図２に示すように、包装容器１０は上端が開口するとともに、この開口周縁に設けられたフランジ部１２を有する容器本体１１と、この容器本体１１を覆う蓋体２５と、容器本体１１と蓋体２５との間に介在して設けられてシート体２０とを備えている。
【００１３】
このうち容器本体１１のフランジ部１２上には、容器本体１１の開口周縁に沿ってヒートシール用リブ１３が設けられ、またフランジ１２上の端部には係合リブ１５が突設されている。また容器本体１１内の底部にはデザート用ソース（デザート食品の液体部分）３１が予め収納されており、さらに容器本体１１の底面には後述するスポンジ菓子（デザート食品の固体部分）３２を載置するための載置台１４が設けられている。
【００１４】
一方、蓋体２５はスポンジ菓子３２を収納する収納部２６と、容器本体１１のフランジ部１２の外周に嵌込まれる周縁突部２８とを有している。また蓋体２５には下方へ突出する係合突起２７が設けられている。そして容器本体１１のフランジ部１２に蓋体２５を嵌込んだ場合、蓋体２５の周縁突部２８と係合突起２７との間でフランジ部１２の係合リブ１５を挟持することにより、容器本体１１に対して蓋体２５がずれないようになっている。なお、スポンジ菓子３２は略三角柱状となっており、これに対応して収納部２６も略三角筒状となっている。さらに載置台１４は略三角形状となっている。
【００１５】
また、シート体２０はフランジ部１２のヒートシール用リブ１３にヒートシールされて容器本体１１の上端開口を密閉する第１面２１と、この第１面に一端２２ａが連結され他端２２ｂがフランジ部１２から外方へ突出する第２面２２とを有している。このようなシート体２０において、第２面２２の他端２２ｂを外方から引張ることにより、第２面２２が第１面２１上を滑り、第１面２１をフランジ部１２のリブ１３から剥離するようになっている。
【００１６】
上述のように、包装容器１０は容器本体１１と、容器本体１１を覆う蓋体２５と、容器本体１１と蓋体２５との間に介在して設けられたシート体２０とからなっており、さらにこの包装容器１０と、容器本体１１内に収納されたデザート用ソース３１と、蓋体２５の収納部２６内に収納されたスポンジ菓子３２とから包装体が構成される。
【００１７】
次に各部の材質について、以下述べる。まず容器本体１１は、ポリプロピレン（ＰＰ）からなっている。また蓋体２５は、透明のハイインパクトポリスチレン（ＨＩＰＳ）からなっている。
【００１８】
またシール体２０の材質としては、積層フィルムが使用され、その構成は基材層／シーラント層、又は、基材層／中間層／シーラント層のように積層したフィルムとなっている。このような構成において、基材層及び中間層は単層又は二種以上の多層で構成される。また、上記各層の間には必要に応じて接着層を設けることができる。
【００１９】
本発明においては、例えば基材層としてポリエチレンテレフタレート（ＰＥＴ）１２μ／延伸ナイロン（ＯＮ）１５μの貼合フィルムを用い、引張り強度、引裂き強度および耐ピンホール性を向上させる。この場合は、基材層にイージーピールシーラント（東セロＣＭＰＳＯ１１Ｃ）３０μを積層し、シール材２０の層構成をＰＥＴ１２μ／ＯＮ１５μ／イーシーピールシーラント３０μとする。
【００２０】
なお、本発明において、シール体２０にとって、最低限不可欠な機能は、容器本体１１と適度な強度でシール可能であること（イージーピール性）と、開封時に加わる引っ張り方向の力に耐えうること（引張強度）である。従って、シーラント層のみで上記両方の機能を保有すれば、シール体２０を単層フィルムから構成してもよい。
【００２１】
次にこのような構成からなる本実施の形態の作用について説明する。
【００２２】
まず容器本体１１内にデザート用ソース３１が収納され、次に容器本体１１のフランジ部１２上に設けられたヒートシール用リブ１３にシート体２０の第１面２１がヒートシールされる。フランジ部１２に対してシート体２０をヒートシールする作用について図３および図４により説明する。図３および図４に示すように、まず容器本体１１上にシート体２０用のフィルム２４が巻体３０から繰り出される。
【００２３】
次に図３に示すように容器本体１１のフランジ部１２上に設けられたヒートシール用リブ１３に、フィルム２４がヒートシールされる。次にヒートシール用リブ１３にヒートシールされたフィルム２４が、切込線２４ａに沿って型抜きされ、このようにして第１面２１と第２面２２とからなるシート体２０が得られる。この場合、第１面２１の形状は、容器本体１１のフランジ部１２外周より大きくなっているが、第２面２２の形状はフランジ部１２外周と略同一となっている（図３）。このため、第１面２１の形状は、第２面２２の形状より大きくなっている。
【００２４】
次にシート体２０の第２面上にスポンジ菓子３２が載置され、その後容器本体１１のフランジ部１２に蓋体２５が嵌込まれる。
【００２５】
この場合、蓋体２５の周縁突部２８がフランジ部１２の外周に嵌込まれ、またスポンジ菓子３２が蓋体２５の収納部２６内に収納される。またフランジ部１２の係合リブ１５が周縁突部２８と係合突起２７との間で挟持されるとともに、第２面２２の他端２２ｂが、容器本体１１のフランジ部１２および蓋体２５の周縁突部２８の間から外方へ突出している。また第１面２１の周縁は、フランジ部１２と周縁突部２８との間に狭まる。
【００２６】
このようにして包装容器１０内に、デザート用ソース３１とスポンジ菓子３２とを収納してなる包装体が得られる。包装容器１０のうち容器本体１１と蓋体２５は、必要に応じて容器本体１１および蓋体２５の端部に設けられた閉止シール（図示せず）により互いに離れないよう連結保持されている。この場合、閉止シール上に、包装容器１０の開封手順を書込んでもよい。
【００２７】
次に容器本体１１のフランジ部１２と蓋体２５のうち、係合リブ１５側を上下方向から把持し、同時に第２面２２の他端２２ｂを外方へ引張る。この場合、シート体２０の第２面２２が、第１面２１上を滑るとともに、第２面２２に連結された第１面２１がフランジ部１２のヒートシール用リブ１３から徐々に剥離する。
【００２８】
この間、フランジ部１２の係合リブ１５が周縁突部２８と係合突起２７との間で挟持されるので、容器本体１１に対して蓋体２５がずれることはなく、またスポンジ菓子３２は蓋体２５の収納部２６内に収納保持される。また第１面２１の周縁がフランジ部１２と周縁突部２８との間に狭持されているので、他端２２ｂを外方へ引張った場合、第２面２２から第１面２１側へ引張力が加わり、このため第１面２１の周縁によってフランジ部１２と周縁突部２８との間の嵌合が解除される。
【００２９】
その後シート体２０の第１面２１がフランジ部１２のヒートシール用リブ１３から徐々に剥離し、シート体２０がスポンジ菓子３２の下方から第２面２２の他端２２ｂ側へ移行すると、スポンジ菓子３２は下方へ落下して容器本体１１内の載置台１４上に載置される。このように、スポンジ菓子３２は容器本体１１内の載置台１４上に載置されるので、スポンジ菓子３２がデザート用ソース３１に過度に浸されることはない。
【００３０】
その後蓋体２５を容器本体１１から取外し、容器本体１１内のデザート用ソース３１をスプーン等により載置台１４上のスポンジ菓子３２上に注ぐ。
【００３１】
次に載置台１４上のスポンジ菓子３２を食べることができる。
【００３２】
以上のように本実施の形態によれば、容器本体１１のフランジ部１２と蓋体２５とを把持しながら、第２面２２の他端２２ｂを外方へ引張るだけで、フランジ部１２のヒートシール用リブ１３から第１面２１を剥離させることができるとともに、スポンジ菓子３２を予めデザート用ソース３１が収納された容器本体１１の載置台１４上に載置することができる。このため、容易にスポンジ菓子３２にデザート用ソース３１を容器に注いで食べることができる。
【図面の簡単な説明】
【００３３】
【図１】本発明による包装体の実施の形態を示す斜視図。
【図２】図１に示す包装体の側断面図。
【図３】容器本体にシート体をヒートシールする状態を示す図。
【図４】シート体を示す平面図。
【符号の説明】
【００３４】
１０  包装容器
１１  容器本体
１２  フランジ部
１３  ヒートシール用リブ
１４  載置台
１５  係合リブ
２０  シート体
２１  第１面
２２  第２面
２２ａ  一端
２２ｂ  他端
２５  蓋体
２６  収納部
２７  係合突起
２８  周縁突部
３１  デザート用ソース
３２  スポンジ菓子
【図１】
2005067740.tif 000003
【図２】
2005067740.tif 000004
【図３】
2005067740.tif 000005
【図４】
2005067740.tif 000006